【手続補正書】
【提出日】平成20年1月8日(2008.1.8)
【手続補正１】
【補正対象書類名】明細書
【補正対象項目名】特許請求の範囲
【補正方法】変更
【補正の内容】
【特許請求の範囲】
【請求項１】  ネットワーク上でウェッブページにアクセスする方法であって、前記ネットワークがサーバコンピュータとユーザによって操作されるユーザコンピュータとに接続され、前記ユーザコンピュータが、ユーザ入力装置とディスプレイ装置とを備えたものに於いて、前記方法は以下の工程を有する、
前記ネットワークを介して前記サーバコンピュータからのウェッブページの一部を前記ディスプレイ装置に転送する工程であって、ここで、前記ウェッブページの前記一部は前記ユーザが２つ以上の次元（ｄｉｍｅｎｓｉｏｎ）のそれぞれの値を同時に選択することを可能にするセレクタを含む工程、
前記ユーザ入力装置からの信号に応答して生成され、前記ユーザによって選択された各次元の前記値を示す情報を受け取ることによってユーザの選択を検出する工程、
前記ユーザ入力装置からの信号に応答して生成され、前記ユーザによって各次元に対して選択されたフィルタリング方法を示す情報を受け取ることによってユーザの選択を検出する工程であって、ここで、前記フィルタリング方法は、前記ユーザによって複数のフィルタリング方法から選択される工程、
前記選択された次元に対して選択された対応するフィルタリング方法によって、前記選択された次元の前記各値の全部に一致する情報に関連付けられた単数又は複数のウェッブページを同定する工程、
前記同定されたウェッブページに関する情報を前記ユーザコンピュータに送る工程であって、ここで、前記同定されたウェッブページの少なくとも１つは複数のセクションを含む工程、
前記ユーザ入力装置からの信号に応答して生成され、前記同定されたウェッブページから前記ユーザによって選択されたウェッブページを示す情報を受け取ることによってユーザの選択を検出する工程、
前記ユーザによって選択された前記ウェッブページの内の、前記選択された次元の前記各値と前記対応するフィルタリング方法とに合致するセクションのみを前記ユーザコンピュータに送る工程、
ドキュメントを作成するべく前記ユーザ入力装置を介してドキュメントクリエータによって提供される信号を受け入れる、前記ドキュメントは複数のセクションを有する工程、及び、
前記ドキュメントの各セクションに対して少なくとも１つの次元の値を割り当てるべく前記ユーザ入力装置を介して前記ドキュメントクリエータによって提供される信号を受け入れる工程であって、ここで、前記ドキュメントの第１セクションと、前記ドキュメントの第２セクションとは、同じ次元の異なる値と関連付けられ、そして、前記ユーザは、対応する前記次元に前記ドキュメントクリエータによって割り当てられた前記値に基づいて前記ドキュメントの前記複数のセクションに対するアクセスを与えられる工程。
【請求項２】  請求項１の方法であって、前記セレクタは、それぞれが各次元に対応する複数のプルダウンリストを有し、
前記２つ以上の次元は、地理的位置、企業部門、従業員区分、及び時期を含み、及び、
各次元は、複数の階層値に関連付けられている。
【請求項３】  請求項１の方法であって、前記ユーザコンピュータに送られる情報は、前記同定されたウェッブページのリストを表示するために使用される。
【請求項４】  請求項１の方法であって、更に、ユーザを、各次元の単数又は複数の値に関連付ける工程、及び、
前記ユーザの関連付けられた単数又は複数の値を、前記作成されたドキュメントに関連付けられた各次元のデフォルト値として使用する工程、を有する。
【請求項５】  請求項１の方法であって、前記複数のフィルタリング方法は、厳格な（ｓｔｒｉｃｔ）フィルタリング、昇順フィルタリング、及び降順フィルタリング、を含む。
【請求項６】  ネットワーク上でウェッブページにアクセスするためのユーザインターフェースであって、該ユーザインターフェースがユーザ入力装置とディスプレイ装置とを利用するものにおいて、前記ユーザインターフェースは、以下を有する、
複数の次元の利用可能な値をユーザに対して表示するセレクタ手段、
前記ユーザによって同時に特定された２つ以上の次元の各値を検出するととともに、前記ユーザによって特定された前記２つ以上の次元に対して前記ユーザによって選択された各フィルタリング方法を検出するべく、前記ユーザ入力装置から信号を受け入れる検出手段であって、ここで、前記各フィルタリング方法は、前記ユーザによって、複数のフィルタリング方法から選択される手段、
前記２つ以上の次元に対して選択された前記各フィルタリング方法によって前記選択された次元の各値の全てに合致する単数又は複数のウェッブページを選択する選択手段であって、ここで、前記選択されたウェッブページのうちの少なくとも１つは複数のセクションを含む手段、
前記選択されたウェッブページのリストを前記ディスプレイ装置上で提示する表示手段、
前記選択されたウェッブページの前記リストから前記ユーザによって選択されたウェッブページを検出するべく前記ユーザ入力装置から信号を受け入れる検出手段、
前記ユーザによって選択された前記ウェッブページの内の、前記選択された次元の前記各値と、対応する前記フィルタリング方法とに合致するセクションのみを表示する表示手段、
ドキュメントを作成するべく前記ユーザ入力装置を介してドキュメントクリエータによって提供される信号を受け入れる検出手段であって、前記ドキュメントは複数のセクションを有する手段、及び、
前記ドキュメントの各セクションに対して少なくとも１つの次元の値を割り当てるべく前記ユーザ入力装置を介して前記ドキュメントクリエータによって提供される信号を受け入れる検出手段であって、ここで、前記ドキュメントの第１セクションと、前記ドキュメントの第２セクションとは、同じ次元の異なる値と関連付けられ、そして、前記ユーザは、前記ドキュメントクリエータによって対応する前記次元に割り当てられた前記値に基づいて前記ドキュメントの前記複数のセクションに対するアクセスを与えられる手段。
【請求項７】  ウェッブページにアクセスするためのユーザインターフェースであって、該ユーザインターフェースは、以下を含む、
２つ以上の次元を選択するため、及び、複数のフィルタリング方法を特定するためのセレクタをユーザに対して表示する、
前記ユーザによって同時に特定された２つ以上の次元を選択し、前記ユーザによって特定された前記２つ以上の次元に関連付けられた各フィルタリング方法を特定するべくユーザ入力装置から信号を受け入れる、
対応する前記フィルタリング方法によって前記選択された次元に含まれる複数のドキュメントのリストを表示する、ここで、前記ドキュメントの少なくとも１つは、複数のセクションを含み、各セクションは２つ以上の次元に関連付けられている、
前記表示されたドキュメントのリストから１つのドキュメントを選択するべく前記ユーザ入力装置から信号を受け入れる、
前記選択されたドキュメントの内の、前記対応するフィルタリング方法によって前記選択された２つ以上の次元に関連付けられたセクションのみを表示する、
ドキュメントを作成するべく前記ユーザ入力装置を介してドキュメントクリエータによって提供される信号を受け入れる、作成された前記ドキュメントは複数のセクションを有する、及び、
前記作成されたドキュメントの各セクションに対して少なくとも１つの次元の値を割り当てるべく、前記ユーザ入力装置を介して前記ドキュメントクリエータによって提供される信号を受け入れる、ここで、前記作成されたドキュメントの第１セクションと、前記作成されたドキュメントの第２セクションとは、同じ次元の異なる値と関連付けられ、そして、前記ユーザは、前記ドキュメントクリエータによって対応する前記次元に割り当てられた前記値に基づいて前記作成されたドキュメントの前記複数のセクションに対するアクセスを与えられる。
【請求項８】  請求項７の方法であって、前記２つ以上の次元は、地理的位置、企業部門、及び従業員区分、を含む。
【請求項９】  コンピュータネットワークにおいてドキュメントを検索する方法であって、該方法は、以下の工程を有する、
複数の次元を定義する工程であって、各次元は単数又は複数の次元値を有し、ここで、前記単数又は複数の次元値は単数又は複数の階層値を有する工程、
複数のドキュメントを維持管理（ｍａｉｎｔａｉｎ）する工程であって、各ドキュメントは複数のセクションを有する工程、
各ドキュメントの各セクションに次元値を割り当てる工程であって、ここで、第１セクションに割り当てられる第１次元値は、第２セクションに割り当てられる第２次元値と、たとえ、これら第１及び第２次元値が同じ次元に属していても、互いに異なる工程、
前記複数のドキュメントの前記複数のセクションを取り出し可能な形態で格納する工程、
前記複数の次元をユーザに対して示す工程、
２つ以上の次元に関連付けられた各次元値と、前記２つ以上の次元に関連付けられた対応するフィルタリング方法とを特定する前記ユーザからの入力を受け入れる工程、
前記ユーザによって特定された前記対応するフィルタリング方法によって前記ユーザによって特定された２つ以上の次元に関連付けられた前記各次元値の全てに合致する単数又は複数のドキュメントを同定する工程、
同定された前記単数又は複数のドキュメントから前記ユーザによって選択される一つのドキュメントを特定する前記ユーザからの入力を受け入れる工程、
前記選択されたドキュメントの内の、前記対応するフィルタリング方法によって前記ユーザによって特定された前記次元値に合致する部分のみを前記ユーザに対して同定する工程、
ドキュメントを作成するべく前記ユーザ入力装置を介してドキュメントクリエータによって提供される信号を受け入れる、前記作成されたドキュメントは複数のセクションを有する工程、及び、
前記作成されたドキュメントの各セクションに対して少なくとも１つの次元の値を割り当てるべく前記ユーザ入力装置を介して前記ドキュメントクリエータによって提供される信号を受け入れる工程であって、ここで、前記作成されたドキュメントの第１セクションと、前記作成されたドキュメントの第２セクションとは、同じ次元の異なる値と関連付けられ、そして、前記ユーザは、前記ドキュメントクリエータによって対応する前記次元に割り当てられた前記値に基づいて前記作成されたドキュメントの前記複数のセクションに対するアクセスを与えられる工程。
【請求項１０】  請求項９の方法であって、前記複数の次元は、地理的位置を含む。
【請求項１１】  請求項９の方法であって、前記複数の次元は、企業部門を含む。
【請求項１２】  請求項９の方法であって、前記複数の次元は、従業員区分を含む。
【請求項１３】  請求項９の方法であって、前記複数の次元は、時期を含む。
【請求項１４】  請求項９の方法であって、前記ユーザの特定は、デジタル処理システムへのグラフィカルユーザインターフェース上に表示されるセレクタツールによって行われる。
【請求項１５】  請求項９の方法であって、更に、前記ユーザに関連付けられたユーザ座標を維持管理する工程を有し、前記ユーザ座標は複数の次元値を含み、
ここで、前記ユーザに対して前記選択されたドキュメントのセクションのみを同定する工程は、前記選択されたドキュメントのセクションが前記ユーザ座標と関連付けられている場合にのみ、前記ユーザに対して前記選択されたドキュメントのセクションを同定する工程を含む。
【請求項１６】  ドキュメントを検索する方法であって、該方法は、以下の工程を有する、
複数の次元を定義する工程であって、各次元は単数又は複数の次元値を有し、ここで、前記単数又は複数の次元値は単数又は複数の階層値を有する工程、
複数のドキュメントを維持管理する工程であって、各ドキュメントは複数のセクションを有する工程、
各ドキュメントの各セクションに対して次元値とユーザ座標とを割り当てる工程、
前記複数のドキュメントの前記複数のセクションを取り出し可能な形態で格納する工程、
ユーザのユーザ座標を決定する工程であって、前記ユーザ座標は単数又は複数の次元の次元値のセットに関連付けられ、前記単数又は複数の次元は、前記複数の次元の副セットである工程、
前記ユーザと関連付けられた対応するフィルタリング方法によって前記ユーザに対して決定された前記ユーザ座標に関連付けられた単数又は複数の次元を同定する工程、
前記単数又は複数の次元をインターフェースにおいてメニューアイテムとして表示する工程であって、ここで、前記ユーザは、前記決定されたユーザ座標と関連付けられた前記単数又は複数の次元のみについて前記メニューアイテムに対してアクセスのみ可能である工程、及び、
単数又は複数のドキュメントの内の、前記ユーザに関連付けられた前記対応するフィルタリング方法によって前記ユーザに対して決定された前記ユーザ座標に関連付けられた各次元値に合致する部分を同定する工程であって、ここで、前記次元値に合致する前記単数又は複数のドキュメントの部分のみが、前記対応するフィルタリング方法によって前記ユーザに対してアクセス可能である工程。
【請求項１７】  請求項１６の方法であって、異なるユーザは異なるユーザ座標と関連付けられ、ここで、前記異なるユーザ座標は、異なる単数又は複数の次元、或いは、単数又は複数の次元値、と関連付けられ、前記方法は、更に以下の工程を有する、
前記異なる単数又は複数の次元、或いは、前記異なる単数又は複数の次元値を、決定された前記異なるユーザ座標に基づいて、インターフェースにおいてメニューアイテムとして表示する工程であって、ここで、前記ユーザは、前記決定されたユーザ座標に関連付けられた前記単数又は複数の次元、或いは、前記単数又は複数の次元値に関してのみ、前記メニューアイテムに対してアクセスのみ可能である工程。
【請求項１８】  請求項１６の方法であって、更に以下の工程を有する、
同定された前記単数又は複数のドキュメントから前記ユーザによって選択される一つのドキュメントを特定する入力を受け入れる工程、
前記選択されたドキュメントの内の、前記対応するフィルタリング方法によって前記ユーザ座標に関連付けられた前記次元値に合致する部分のみを前記ユーザに対して同定する工程、
ドキュメントを作成するべくドキュメントクリエータによって提供される信号を受け入れる、作成された前記ドキュメントは複数のセクションを有する工程、及び、
前記作成されたドキュメントの各セクションに対して少なくとも１つの次元の値を割り当てるべく前記ドキュメントクリエータによって提供される信号を受け入れる工程であって、ここで、前記作成されたドキュメントの第１セクションと、前記作成されたドキュメントの第２セクションとは、同じ次元の異なる値と関連付けられ、そして、前記ユーザは、前記ドキュメントクリエータによって対応する前記次元に割り当てられた前記値に基づいて前記作成されたドキュメントの前記複数のセクションに対するアクセスを与えられる工程。
【請求項１９】  請求項１６の方法であって、更に、前記単数又は複数の次元、或いは、前記単数又は複数の次元値を、時間フレームに応じて決定する工程を有する。
【請求項２０】  請求項１６の方法であって、前記複数の次元は、複数のカテゴリと関連付けられている。
【請求項２１】  請求項１６の方法であって、更に、前記単数又は複数のドキュメントの内の、前記次元値に合致する前記部分を前記インターフェースに対して提供する工程を有する。
【請求項２２】  請求項１６の方法であって、更に、アクセス中の装置に応じて、前記単数又は複数の次元と前記単数又は複数次元値とを決定する工程を有する。
【請求項２３】  請求項２２の方法であって、更に、前記アクセス中の装置によって提供されるユーザロケーションに応じて、前記単数又は複数の次元と前記単数又は複数次元値とを決定する工程を有する。
【請求項２４】  ドキュメントを検索するように構成された装置であって、該装置は以下を有する、
単数又は複数のプロセッサ、
前記単数又は複数のプロセッサによって実行されるべく単数又は複数の有形（ｔａｎｇｉｂｌｅ）媒体中に符号化されたロジック、
該ロジックは、その実行時に、以下を行う、
複数の次元を定義する、各次元は、単数又は複数の次元値を有する、ここで、前記単数又は複数の次元値は、単数又は複数の階層値を含む、
複数のドキュメントを維持管理する、各ドキュメントは複数のセクションを有する、
各ドキュメントの各セクションに対して、次元値とユーザ座標とを割り当てる、
前記複数のドキュメントの前記複数のセクションを取り出し可能な形態で格納する、
ユーザのユーザ座標を決定する、前記ユーザ座標は単数又は複数の次元の次元値のセットに関連付けられ、前記単数又は複数の次元は、前記複数の次元の副セットである、
前記ユーザに関連付けられた対応する前記フィルタリング方法によって前記ユーザに対して決定された前記ユーザ座標に関連付けられた単数又は複数の次元を同定する、
前記単数又は複数の次元をインターフェースにおいてメニューアイテムとして表示する、ここで、前記ユーザは、前記決定されたユーザ座標と関連付けられた前記単数又は複数の次元のみについて前記メニューアイテムに対してアクセスのみ可能である、及び、
単数又は複数のドキュメントの部分の内の、前記ユーザに関連付けられた前記対応するフィルタリング方法によって前記ユーザに対して決定された前記ユーザ座標に関連付けられた各次元値に合致する部分を同定する、ここで、前記単数又は複数のドキュメントの内の前記次元値に合致する前記部分のみが、前記対応するフィルタリング方法によって前記ユーザに対してアクセス可能である。
【請求項２５】  請求項２４の装置であって、異なるユーザは異なるユーザ座標と関連付けられ、前記異なるユーザ座標は、異なる単数又は複数の次元、或いは、異なる単数又は複数の次元値、と関連付けられ、
前記ロジックは、その実行時に、更に以下を行う、
前記異なる単数又は複数の次元、或いは、前記異なる単数又は複数の次元値を、決定された前記異なるユーザ座標に基づいて、インターフェースにおいてメニューアイテムとして表示する、ここで、前記ユーザは、前記決定されたユーザ座標と関連付けられた前記単数又は複数の次元、或いは、前記単数又は複数の次元値のみについて前記メニューアイテムに対してアクセスのみ可能である。
【請求項２６】  請求項２４の装置であって、前記ロジックは、その実行時に、更に以下を行う、
同定された前記単数又は複数のドキュメントから前記ユーザによって選択される一つのドキュメントを特定する入力を受け入れる、
前記選択されたドキュメントの内の、前記対応するフィルタリング方法によって前記ユーザ座標に関連付けられた前記次元値に合致する部分のみを前記ユーザに対して同定する、
ドキュメントを作成するべくドキュメントクリエータによって提供される信号を受け入れる、作成された前記ドキュメントは複数のセクションを有する、及び、
前記作成されたドキュメントの各セクションに対して少なくとも１つの次元の値を割り当てるべく前記ドキュメントクリエータによって提供される信号を受け入れる、ここで、前記作成されたドキュメントの第１セクションと、前記作成されたドキュメントの第２セクションとは、同じ次元の異なる値と関連付けられ、そして、前記ユーザは、前記ドキュメントクリエータによって対応する前記次元に割り当てられた前記値に基づいて前記作成されたドキュメントの前記複数のセクションに対するアクセスを与えられる。
【請求項２７】  請求項２４の装置であって、前記ロジックは、その実行時に、更に、前記単数又は複数の次元、或いは、前記単数又は複数の次元値を、時間フレームに応じて決定する。
【請求項２８】  請求項２４の装置であって、前記複数の次元は、複数のカテゴリと関連付けられている。
【請求項２９】  請求項２４の装置であって、更に、前記単数又は複数のドキュメントの内の、前記次元値に合致する前記部分を前記インターフェースに対して提供する。
【請求項３０】  請求項２４の装置であって、前記ロジックは、その実行時に、更に、アクセス中の装置に応じて、前記単数又は複数の次元と前記単数又は複数次元値とを決定する。
【請求項３１】  請求項３０の装置であって、前記ロジックは、その実行時に、更に、前記アクセス中の装置によって提供されるユーザロケーションに応じて、前記単数又は複数の次元と前記単数又は複数の次元値とを決定する。
【請求項３２】  ドキュメントを検索するように構成された装置であって、該装置は以下を有する、
複数の次元を定義する手段であって、各次元は単数又は複数の次元値を有し、ここで、前記単数又は複数の次元値は単数又は複数の階層値を有する手段、
複数のドキュメントを維持管理する手段であって、各ドキュメントは複数のセクションを有する手段、
各ドキュメントの各セクションに次元値とユーザ座標とを割り当てる手段、
前記複数のドキュメントの前記複数のセクションを取り出し可能な形態で格納する手段、
ユーザのユーザ座標を決定する手段であって、前記ユーザ座標は単数又は複数の次元の次元値のセットに関連付けられ、前記単数又は複数の次元は、前記複数の次元の副セットである手段、
前記ユーザに関連付けられた対応する前記フィルタリング方法によって前記ユーザに対して決定された前記ユーザ座標に関連付けられた単数又は複数の次元を同定する手段、
前記単数又は複数の次元をインターフェースおいてメニューアイテムとして表示する手段であって、ここで、前記ユーザは、前記決定されたユーザ座標に関連付けられた前記単数又は複数の次元に関してのみ前記メニューアイテムにアクセスのみ可能である手段、及び、
単数又は複数のドキュメントの内の、前記ユーザに関連付けられた前記対応するフィルタリング方法によって前記ユーザに対して決定された前記ユーザ座標に関連付けられた各次元値に合致する部分を同定する手段であって、ここで、前記単数又は複数のドキュメントの内の、前記次元値に合致する部分のみが、前記対応するフィルタリング方法によって前記ユーザに対してアクセス可能である手段。
【請求項３３】  請求項３２の装置であって、異なるユーザは異なるユーザ座標と関連付けられ、前記異なるユーザ座標は、異なる単数又は複数の次元、或いは、異なる単数又は複数の次元値、と関連付けられ、前記装置は、更に以下を有する、
前記異なる単数又は複数の次元、或いは、前記異なる単数又は複数の次元値を、決定された前記異なるユーザ座標に基づいて、インターフェースにおいてメニューアイテムとして表示する手段であって、ここで、前記ユーザは、前記決定されたユーザ座標に関連付けられた前記単数又は複数の次元、或いは、前記単数又は複数の次元値に関してのみ、前記メニューアイテムへのアクセスのみ可能である手段。
【請求項３４】  請求項３２の装置であって、更に以下を有する、
同定された前記単数又は複数のドキュメントから前記ユーザによって選択されるドキュメントを特定する入力を受け入れる手段、
前記選択されたドキュメントの内の、前記対応するフィルタリング方法によって前記ユーザ座標に関連付けられた前記次元値に合致する部分のみを前記ユーザに対して同定する手段、
ドキュメントを作成するべくドキュメントクリエータによって提供される信号を受け入れる手段であって、前記作成されたドキュメントは複数のセクションを有する手段、及び、
前記作成されたドキュメントの各セクションに対して少なくとも１つの次元の値を割り当てるべく、前記ドキュメントクリエータによって提供される信号を受け入れる手段であって、ここで、前記作成されたドキュメントの第１セクションと、前記作成されたドキュメントの第２セクションとは、同じ次元の異なる値と関連付けられ、そして、前記ユーザは、前記ドキュメントクリエータによって対応する前記次元に割り当てられた前記値に基づいて前記作成されたドキュメントの前記複数のセクションに対するアクセスを与えられる手段。
【請求項３５】  請求項３２の装置であって、更に、前記単数又は複数の次元、或いは、前記単数又は複数の次元値を、時間フレームに応じて決定する手段を有する。